(57)【要約】      （修正有）【課題】嗜好性飲料を抽出した後、濾過性バッグの湯の注ぎ口を閉じることができるようにして、バッグ本体の中にある湯で濡れたコーヒー豆粉などが飛散しないようにした嗜好性飲料抽出用バッグを提供する。【解決手段】濾過性バッグを構成する支持シートの引き起こし可能な係止部の中央部に、下方に向かって幅広のテーパーを持つ舌状部を形成する切込み線を設けて、一方の切込み線で囲まれた舌状部を他方の切込み線の中に差し込み、切込み線の左右のテーパーの作用によりそのままの状態で保持されるようにして、濾過性バッグの湯の注ぎ口を閉じたままにすることができるようにした。【選択図】図１
0003173256.tif 000002
【実用新案登録請求の範囲】
【請求項１】
上端に開口部を有するろ過性バッグ本体１と、バッグ本体１の上側表裏面に貼着された略四辺形の支持シート２ａ及び２ｂとを具備し、各支持シート２ａ及び２ｂは、バッグ本体１に貼着された貼着部位７ａ及び７ｂと、バッグ本体１の表裏面に貼着されずバッグ本体１から引き起こしうる略「山」の字状の係止部３ａ及び３ｂとを有し、略「山」の字の中央部の３２ａ及び３２ｂの上縁は貼着部位７ａ及び７ｂと連結しており、略「山」の字の両側の３１ａ、３１ｂ、３３ａ、及び３３ｂは貼着部位７ａ及び７ｂと分離しており、略「山」の字の中央部の３２ａ及び３２ｂには上方に折り返し可能な左右方向に延びる弱め線４ａ及び４ｂが設けられている嗜好性飲料抽出用バッグにおいて、略「山」の字の中央部の３２ａ及び３２ｂの弱め線４ａ及び４ｂの下方に上方に向かって開口する切込み線８ａ及び８ｂを設け、切込み線８ａ及び８ｂの左右の切込み線が下方に向かって幅広のテーパーを持つことを特徴とするクリップ機能付き嗜好性飲料抽出用バッグ。
【請求項２】
上端に開口部を有するろ過性バッグ本体１と、バッグ本体１の上側表裏面に貼着された略四辺形の支持シート２ａ及び２ｂとを具備し、各支持シート２ａ及び２ｂは、バッグ本体１に貼着された貼着部位７ａ及び７ｂと、バッグ本体１の表裏面に貼着されずバッグ本体１から引き起こしうる略「山」の字状の係止部３ａ及び３ｂとを有し、略「山」の字の両側の３１ａ、３１ｂ、３３ａ、及び３３ｂの上縁は貼着部位７ａ及び７ｂと連結しており、略「山」の字の中央部の３２ａ及び３２ｂは貼着部位７ａ及び７ｂと分離しており、略「山」の字の両側の３１ａ、３１ｂ、３３ａ、及び３３ｂには上方に折り返し可能な左右方向に延びる弱め線５ａ、５ｂ、６ａ及び６ｂが設けられている嗜好性飲料抽出用バッグにおいて、略「山」の字の中央部の３２ａ及び３２ｂに上方に向かって開口する切込み線８ａ及び８ｂを設け、切込み線８ａ及び８ｂの左右の切込み線が下方に向かって幅広のテーパーを持つことを特徴とするクリップ機能付き嗜好性飲料抽出用バッグ。
【請求項３】
切込み線８ａ及び８ｂの左右の切込み線の下方に向かって幅広のテーパーが、３％から８％の範囲であり、更に好ましくは５％から７％である請求項１又は請求項２に記載のリップ機能付き嗜好性飲料抽出用バッグ。
【請求項４】
切込み線８ａ及び８ｂで囲まれる領域の中に、逆Ｙ字様の切込み線９ａ及び９ｂを設けた請求項１又は請求項２に記載のリップ機能付き嗜好性飲料抽出用バッグ。
【考案の詳細な説明】
【考案の詳細な説明】
【技術分野】
【０００１】  本考案は、コーヒー、紅茶、緑茶又はその他嗜好性飲料を抽出するために用いる嗜好性飲料抽出用バッグに関するものである。
【背景技術】
【０００２】  近年、コーヒー等の嗜好性飲料を、一人用濾過性バッグを用いドリップ方式で入れて飲むことが多くなっている。濾過性バッグは、飲料を抽出するためにフィルターとして機能するバッグ本体と、抽出時にバッグ本体をカップ上に安定して保持する支持シートよりなるものが用いられている。【０００３】  支持シートは、一般的に略四辺形となっており、その中に各種の切込み線が設けられ、適宜の形状の係止部を引き起こせるようになっている。たとえば、特許文献１の２図には、略四辺形の支持シート１１ａ及び１１ｂから、カップ口縁の外側及び内側に係止する部位１２ａ及び１２ｂ、１３ａ及び１３ｂが引き起こされるようになっている（図１）。【０００４】
【特許文献１】特開２００７−４５４９０号公報
【考案の概要】
【考案が解決しようとする課題】
【０００５】  かかる濾過性バッグは、これに湯を注いでコーヒー等の嗜好性飲料を抽出した後、ゴミ箱等に廃棄されたとき、湯の注ぎ口が開放されたままであるため、バッグ本体の中にある湯で濡れたコーヒー豆粉などが散らばってしまい、美観上又は衛生上の問題となることがあった。【０００６】  本考案は、嗜好性飲料を抽出した後、濾過性バッグの湯の注ぎ口を閉じることができるようにして、バッグ本体の中にある湯で濡れたコーヒー豆粉などが飛散しないようにした嗜好性飲料抽出用バッグを提供するものである。
【課題を解決するための手段】
【０００７】  本考案は、濾過性バッグを構成する支持シートに簡易なクリップ機能を付与することにより、濾過性バッグの湯の注ぎ口を閉じることができるようにして、上記の課題を解決したものである。なお、本件明細書において、「ａ」の符号はバッグ本体１の表側に対応し、「ｂ」の符号はバッグ本体１の裏側に対応するものであり、表裏で一対になっていることを示している。【０００８】  本考案は、上端に開口部を有する濾過性バッグ本体１と、バッグ本体１の表裏に貼着された該バッグ本体１の横幅よりも狭い横幅を持つ一対の略四辺形の支持シート２ａ及び２ｂとを具備する嗜好性飲料抽出用バッグにおいて、各支持シート２ａ及び２ｂは、バッグ本体に貼着された貼着部位７ａ及び７ｂと、バッグ本体１に貼着されずバッグ本体１から引き起こし得る略「山」の字状の係止部３ａ及び３ｂとを有し、略「山」の字の中央部３２ａ及び３２ｂの上縁は貼着部位７ａ及び７ｂと連結しており、略「山」の字の両側３１ａ、３１ｂ、３３ａ及び３３ｂの上縁は貼着部位７ａ及び７ｂと分離しており、略「山」の字の中央部３２ａ及び３２ｂには上方に折り返し可能な左右方向に延びる弱め線４ａ及び４ｂが設けられており、略「山」の字の中央部３２ａ及び３２ｂの弱め線４ａ及び４ｂの下方には上方に向かって開口する切込み線８ａ及び８ｂが設けられ、切込み線８ａ及び８ｂの左右の切込み線が下方に向かって幅広のテーパーを持つことを特徴とするクリップ機能付き嗜好性飲料抽出用バッグに関するものである（図２）。【０００９】  このクリップ機能付き嗜好性飲料抽出用バッグを使用するとき、支持シート２ａ及び２ｂから略「山」の字状の係止部３ａ及び３ｂをバッグ本体１から引き起こす。この際、係止部３ａ及び３ｂは、略「山」の字の中央部３２ａ及び３２ｂの上縁で貼着部位７ａ及び７ｂと連結している（図３）。そして、引き起こした係止部３ａ及び３ｂを、弱め線４ａ及び４ｂを折り返し線として、上方に折り返す。そうして、係止部３ａ及び３ｂの略「山」の字が逆になった状態で、カップの口縁が「山」の字の凹部に差し入れられ、濾過性バッグ本体１がカップの口縁の内側に係止される（図４）。【００１０】  この状態で、バッグ本体１の中に入れられたコーヒー豆粉や茶葉などの上に、バッグ本体１の開口部から湯を注ぎ入れ、コーヒーや茶などの嗜好性飲料が抽出される。嗜好性飲料の抽出後、係止部３ａ及び３ｂをカップの口縁から取り外し、略「山」の字の中央部３２ａ及び３２ｂの上縁の貼着部位７ａ及び７ｂと連結している境界線で折り曲げて、係止部３ａと３ｂをぴったりと重ね合わせ、切込み線８ａ及び８ｂを覆うように親指と人差指又は中指で強く挟んで保持する。次に、切込み線８ａ及び８ｂを強く挟んで保持している親指と人差指又は中指を上下にずらせると、一方の切込み線で囲まれた舌状部が他方の切込み線の中に入り込み、切込み線の左右のテーパーの作用によりそのままの状態で保持され、バッグ本体１の開口部は閉じた状態で維持されることになる（図９，図１０）。【００１１】  また、本考案は、上端に開口部を有する濾過性バッグ本体１と、バッグ本体１の表裏に貼着された該バッグ本体１の横幅よりも狭い横幅を持つ一対の略四辺形の支持��ート２ａ及び２ｂとを具備する嗜好性飲料抽出用バッグにおいて、各支持シート２ａ及び２ｂは、バッグ本体に貼着された貼着部位７ａ及び７ｂと、バッグ本体１に貼着されずバッグ本体１から引き起こし得る略「山」の字状の係止部３ａ及び３ｂとを有し、略「山」の字の両側３１ａ、３１ｂ、３３ａ及び３３ｂの上縁は貼着部位７ａ及び７ｂと連結しており、略「山」の字の中央部３２ａ及び３２ｂの上縁は貼着部位７ａ及び７ｂと分離しており、略「山」の字の両側３１ａ、３１ｂ、３３ａ及び３３ｂには上方に折り返し可能な左右方向に延びる弱め線５ａ、５ｂ、６ａ及び６ｂが設けられており、略「山」の字の中央部３２ａ及び３２ｂの下方には上方に向かって開口する切込み線８ａ及び８ｂが設けられ、切込み線８ａ及び８ｂの左右の切込み線が下方に向かって幅広のテーパーを持つことを特徴とするクリップ機能付き嗜好性飲料抽出用バッグに関するものである（図５）。【００１２】  このクリップ機能付き嗜好性飲料抽出用バッグを使用するとき、支持シート２ａ及び２ｂから略「山」の字状の係止部３ａ及び３ｂをバッグ本体１から引き起こす。この際、係止部３ａ及び３ｂは、略「山」の字の両側３１ａ、３１ｂ、３３ａ及び３３ｂの上縁で貼着部位７ａ及び７ｂと連結している（図６）。そして、引き起こした係止部３ａ及び３ｂを、弱め線４ａ及び４ｂを折り返し線として、上方に折り返す。そうして、係止部３ａ及び３ｂの略「山」の字が逆になった状態で、カップの口縁が「山」の字の凹部に差し入れられ、濾過性バッグ本体１がカップの口縁の内側に係止される（図７）。【００１３】  この状態で、バッグ本体１の中に入れられたコーヒー豆粉や茶葉などの上に、バッグ本体１の開口部から湯を注ぎ入れ、コーヒーや茶などの嗜好性飲料が抽出される。嗜好性飲料の抽出後、係止部３ａ及び３ｂをカップの口縁から取り外し、略「山」の字の両側３１ａ、３１ｂ、３３ａ及び３３ｂの上縁の貼着部位７ａ及び７ｂと連結している境界線で折り曲げて、係止部３ａと３ｂをぴったりと重ね合わせ、切込み線８ａ及び８ｂを覆うように親指と人差指又は中指で強く挟んで保持する。次に、切込み線８ａ及び８ｂを強く挟んで保持している親指と人差指又は中指を上下にずらせると、一方の切込み線で囲まれた舌状部が他方の切込み線の中に入り込み、切込み線の左右のテーパーの作用によりそのままの状態で保持され、バッグ本体１の開口部は閉じた状態で維持されることになる。【００１４】  また、本考案において、切込み線８ａ及び８ｂの左右の切込み線の下方に向かって幅広のテーパーが、３％から８％の範囲であり、更に好ましくは５％から７％であることが望ましい。テーパーが３％よりも小さいと、一方の切込み線で囲まれた舌状部が他方の切込み線の中に入り込んでも、テーパー部の噛み込みによる拘束力が弱いため、外れてしまい易い。また、テーパーが８％よりも大きいと、一方の切込み線で囲まれた舌状部が他方の切込み線の中に入り込み難くなり、外れてしまい易い。一方の切込み線で囲まれた舌状部が他方の切込み線の中に入り込み易く、且つ、そのまま保持され易いのは、テーパーが５％から７％の範囲のときである。【００１５】  また、本考案において、切込み線８ａ及び８ｂで囲まれる領域の中に、逆Ｙ字様の切込み線９ａ及び９ｂを設けても良い（図８）。逆Ｙ字様の切込み線９ａ及び９ｂを設けることにより、切込み線８ａ及び８ｂで囲まれる舌状部が湾曲し易くなり、一方の切込み線で囲まれた舌状部が他方の切込み線の中に入り込み易くなり、且つ、そのまま保持され易くなる。
【考案の効果】
【００１６】  本考案に係るクリップ機能付き嗜好性飲料抽出用バッグを用いれば、引き起こし可能な係止部３ａと３ｂの中央部３２ａ及び３２ｂに設けた切込み線８ａ及び８ｂの一方の切込み線で囲まれた舌状部を他方の切込み線の中に差し込むことによって、切込み線の左右のテーパーの作用により、濾過性バッグの開口部を閉じたままの状態で保持することができるため、嗜好性飲料を抽出した後、濾過性バッグをゴミ箱等に廃棄したとき、バッグ本体の中にある湯で濡れたコーヒー豆粉などが散らばることがなく、美観上又は衛生上の問題が発生することはない。
【図面の簡単な説明】
【００１７】
【図１】従来の嗜好性飲料抽出用バッグの使用状態を示した模式的斜視図である。
【図２】本考案の一例に係るクリップ機能付き嗜好性飲料抽出用バッグの表面図である。
【図３】２図のクリップ機能付き嗜好性飲料抽出用バッグの係止部３ａ及び３ｂを引き起こした状態を示した平面図である。
【図４】２図のクリップ機能付き嗜好性飲料抽出用バッグの使用状態を示した模式的斜視図である。
【図５】本考案の他の例に係るクリップ機能付き嗜好性飲料抽出用バッグの表面図である。
【図６】５図のクリップ機能付き嗜好性飲料抽出用バッグの係止部３ａ及び３ｂを引き起こした状態を示した平面図である。
【図７】５図のクリップ機能付き嗜好性飲料抽出用バッグの使用状態を示した模式的斜視図である。
【図８】切込み線８ａ及び８ｂで囲まれる領域の中に設けられる逆Ｙ字様の切込み線９ａ及び９ｂの一例の平面図である。
【図９】本考案の一例に係るクリップ機能付き嗜好性飲料抽出用バッグの嗜好性飲料抽出後にバッグ本体開口部が閉じられた状態の一面の写真である。
【図１０】本考案の一例に係るクリップ機能付き嗜好性飲料抽出用バッグの嗜好性飲料抽出後にバッグ本体開口部が閉じられた状態の他の面の写真である。
【符号の説明】
【００１８】１    濾過衛バッグ本体
２ａ，２ｂ    支持シート
３ａ，３ｂ    係止部
４ａ，４ｂ    弱め線
５ａ，５ｂ    弱め線
６ａ，６ｂ    弱め線
７ａ，７ｂ    貼着部位
８ａ，８ｂ    切込み線
９ａ，９ｂ    逆Ｙ字様切込み線
３１ａ，３１ｂ，３３ａ，３３ｂ    係止部３ａ，３ｂを構成する略「山」の字の左右両側の領域
３２ａ，３２ｂ    係止部３ａ，３ｂを構成する略「山」の字の中央部の領域
【図１】
0003173256.tif 000003
【図２】
0003173256.tif 000004
【図３】
0003173256.tif 000005
【図４】
0003173256.tif 000006
【図５】
0003173256.tif 000007
【図６】
0003173256.tif 000008
【図７】
0003173256.tif 000009
【図８】
0003173256.tif 000010
【図９】
0003173256.tif 000011
【図１０】
0003173256.tif 000012